(57)【要約】【課題】回動絞り弁式気化器の絞り弁支持軸防塵シールの耐久性を向上する。【解決手段】回動弁体３の支持軸２４とそれを支持する軸支部２３ａとの隙間を防塵する防塵シール３１を、円筒状の中間部を拡径した形状に形成すると共に、軸支部の中間部に外向フランジ部２３ｂを設ける。防塵シールをその両端と中間拡径部３１ａとの３点で回動支持軸及び軸支部に係合させて取り付けることができるため、両端のみの２点で係合させるものよりも確実に防塵性を保持することができる。また、防塵シールの両端が中間部に対して縮径されていることになるため、軸支部側の開口端が半径方向外向き突部を乗り越えて移動することを防止することができ、回動支持軸と軸支部との隙間が常に防塵シールにより覆われている状態にすることができる。防塵シールの防塵機能の向上と共に耐久性が向上するため、防塵シールを交換する必要が生じないようにすることできる。【選択図】図１
2005146980.tif 000002
【特許請求の範囲】
【請求項１】
気化器本体にその吸気道に直交する軸線回りに回動自在かつ軸線方向変位に設けられた回動弁体と、前記回動弁体と同軸的に前記貫通孔内に突出するように前記気化器のボディに固設された燃料噴出ノズルと、前記燃料噴出ノズルに対向しかつ同軸的に没入するように前記回動弁体に一体化された針弁とを有する回動絞り弁式気化器において、
前記回動弁体に一体化された回動支持軸と前記気化器本体における当該回動支持軸を支持する軸支部との隙間を防塵するための弾性体からなる防塵シールを有し、
前記軸支部が、前記回動弁体を覆う面から外方に突設された環状ボス形状に形成され、かつその中間部に半径方向外向き突部を有し、
前記防塵シールの中間部が拡径され、
前記防塵シールの一端が前記回動支持軸の前記気化器本体の外方に突出する部分に弾発的に係合し、その他端が前記軸支部に弾発的に係合すると共に、前記防塵シールの中間部が前記半径方向外向き突部に係合して、前記防塵シールが取り付けられていることを特徴とする回動絞り弁式気化器の絞り弁支持軸防塵シール。
【発明の詳細な説明】
【技術分野】
【０００１】
本発明は、回動絞り弁式気化器の絞り弁支持軸防塵シールに関するものである。
【背景技術】
【０００２】
従来、回動絞り弁を用いた気化器では、その回動弁体の回動により吸気道の開閉を行うと共に回動弁体の軸線方向変位により燃料噴出ノズルからの燃料噴出量を制御するようにしている。そのような回動絞り弁式気化器にあっては、回動弁体の回動支持軸が気化器本体から外方に突出し、その突出端部に操作レバーが固着されて、スロットル操作により操作レバーが回動することにより、回動弁体が回動すると共にそれに伴ってカム手段により軸線方向変位するようになっている（例えば、特許文献１参照。）。
【０００３】
回動絞り弁の支持軸と蓋体との間には両者間の隙間を封止するための弁軸防塵シールが装着されている。
【０００４】
【特許文献１】実公平４−８２９４号公報（第２−３頁、第１図）
【発明の開示】
【発明が解決しようとする課題】
【０００５】
上記回動絞り弁式気化器において、気化器本体の外方に突出している回動支持軸と気化器本体の対応する軸支部との隙間に外部から埃などが進入することを防止するためにその部分を覆う防塵シールを設けている。防塵シールの取り付け要領にあっては、防塵シールを弾性材により円筒状に形成し、その両端開口部の一方を回動支持軸に弾発的に密着させて係合すると共に他方を例えば環状ボス形状の軸支部に弾発的に密着させて係合する。
【０００６】
しかしながら、機関がアイドリング状態で長時間放置されていると、回動弁体が初期位置（軸線方向を上下方向とすると最下位状態）に留まっており、その状態では操作レバーと軸支部との距離が最短のため、防塵シールが最も押し潰された状態にされていることになる。そのため上記放置状態が長期に亘ると、防塵シールがゴム製の場合には劣化して変形する虞がある。
【０００７】
防塵シールを交換しないまま機関を再起動し、高速回転状態にして全開及び最大燃料噴出量とするべく回動弁体が最高点まで上昇すると、防塵シールがその軸線方向に最大に伸ばされる状態になる。この場合、上記劣化による変形が生じていると、防塵シールの弾性保持力が低下して係合力が下がり、例えば軸支部側の開口端部が初期位置に留まることができず、軸支部側の開口端部が上方に移動してしまう。そのため、軸支部の突出端から軸支部側の開口端部が外れてしまうと、防塵機能が失われてしまう。この対策として防塵シールを交換する必要が生じるため、メンテナンス費用が生じたり、点検の煩わしさが生じたりするなどの問題が発生する。
【課題を解決するための手段】
【０００８】
このような課題を解決して、回動絞り弁式気化器の絞り弁支持軸防塵シールの耐久性を向上して交換する必要が生じないようにすることを実現するために本発明に於いては、気化器本体にその吸気道に直交する軸線回りに回動自在かつ軸線方向変位に設けられた回動弁体と、前記回動弁体と同軸的に前記貫通孔内に突出するように前記気化器のボディに固設された燃料噴出ノズルと、前記燃料噴出ノズルに対向しかつ同軸的に没入するように前記回動弁体に一体化された針弁とを有する回動絞り弁式気化器において、前記回動弁体に一体化された回動支持軸と前記気化器本体における当該回動支持軸を支持する軸支部との隙間を防塵するための弾性体からなる防塵シールを有し、前記軸支部が、前記回動弁体を覆う面から外方に突設された環状ボス形状に形成され、かつその中間部に半径方向外向き突部を有し、前記防塵シールの中間部が拡径され、前記防塵シールの一端が前記回動支持軸の前記気化器本体の外方に突出する部分に弾発的に係合し、その他端が前記軸支部に弾発的に係合すると共に、前記防塵シールの中間部が前記半径方向外向き突部に係合して、前記防塵シールが取り付けられているものとした。
【発明の効果】
【０００９】
このように本発明によれば、防塵シールの中間部を拡径すると共に対応する軸支部の中間部に半径方向外向き突部を設けて、防塵シールの拡径部を半径方向突部に係合させることにより、防塵シールをその両端と中間部との３点で回動支持軸及び軸支部に係合させて取り付けることができるため、両端のみの２点で係合させるものよりも確実に防塵性を保持することができる。また、防塵シールの両端が中間部に対して縮径されていることになるため、軸支部側の開口端が半径方向外向き突部を乗り越えて移動することを防止することができ、回動支持軸と軸支部との隙間が常に防塵シールにより覆われている状態にすることができる。また、半径方向外向き突部により防塵シールに対して常に引っ張り荷重を与えていることができ、その引っ張り荷重により防塵シールの劣化を防止することができる。これにより、防塵シールの防塵機能の向上と共に耐久性が向上するため、防塵シールを交換する必要が生じないようにすることできる。
【発明を実施するための最良の形態】
【００１０】
以下、本発明の実施の形態を、図面を参照しながら説明する。図１は、回動絞り弁式気化器の全体を示す側断面図である。図１に示されるように、気化器本体１には、図示されない吸気管の上流部分と下流部分とを連通する吸気道２が図における表裏面方向に開通するように設けられていると共に、その吸気道２を開閉弁するための回動弁体３が受容されている。
【００１１】
回動弁体３は、例えば合成樹脂材を成型して形成され、吸気道２に直交する軸線回りに回動自在に設けられている。また回動弁体３にあっては、その軸線方向一端部となる図における上部が気化器本体１の上方に突出し、その軸線方向他端部となる図における下部が気化器本体１の内部に没入している。
【００１２】
気化器本体１内には、エンジンのクランク室の脈動圧が作用するようにクランク室と連通する脈動圧室４が設けられており、その脈動室４内にはポンプ膜５が設けられている。ポンプ膜５の脈動室４とは相反する側にはポンプ室６が設けられている。ポンプ室６は、気化器本体１に設けられた流路及びチェックバルブ７を介して外部の図示されない燃料タンクと連通しており、脈動圧によりポンプ膜５が往復変位すると、燃料タンク内の燃料がポンプ室６内に吸引されるようになっている。
【００１３】
また、ポンプ室６は、チェックバルブ８及び流入燃料制御弁９を介して燃料制御室１１と連通するようにされている。ポンプ膜５の燃料吸引側動作時にはチェックバルブ８が閉弁して燃料タンク側の燃料を吸引し、ポンプ膜５の燃料吐出側動作時にはチェックバルブ８が開弁してポンプ室６内の燃料が燃料制御室１１へ吐出される。
【００１４】
燃料制御室１１の一部はダイヤフラム１２により閉塞されている。そのダイヤフラム１２の外側には大気室１３が設けられている。燃料制御室１１内には、適所に固設された枢軸１４により揺動自在にレバー１５が枢支されている。レバー１５の一端には上記流入燃料制御弁９が連結されており、レバー１５の他端はダイヤフラム１２の中央突部に対向して位置するようにされている。ダイヤフラム１２の変形によりその中央突部が軸線方向に変位し、それによりレバー１５の他端が押されて図における時計回りにレバー１５が回ると流入燃料制御弁９が開弁する。なお、レバー１５は、流入燃料制御弁９を閉弁する向きに弾発付勢されている。
【００１５】
燃料制御室１１から吸気道２に至る燃料通路は、気化器本体１の連通路部分と、回動弁体３の通気孔３ａ内に突出するように気化器本体１に立設された燃料噴出ノズル１６の軸線方向孔とにより形成されている。上記燃料通路の燃料制御室１１とノズル１６との間には、燃料制御室１１側から逆止弁１７・主ジェット１８が配設されている。また、ノズル１６における通気孔３ａの中心部に位置する部分には、ノズル１６の軸線方向孔と連通する主噴口１６ａが開設されている。
【００１６】
ノズル１６の軸線方向孔には、回動弁体３の上部に基端部を結合されかつ通気孔３ａ内に垂下された燃料調整用針弁１９の先端部が没入している。図１の状態は本気化器における絞り弁の全閉状態であり、その状態では燃料調整用針弁１９の先端部により主噴口１６ａが閉塞されている。
【００１７】
回動弁体３の下面には、回動弁体３の回動に伴ってカム作用を行うための回動カムとしてのカム体２１が組み付けられている。そのカム体２１は、気化器本体１における対応する部分に凹設された凹設部１ａ内に受容されている。カム体２１の下面（凹設部１ａの底面に対峙する面）には、図２に示されるように、軸線に対して点対称形状をなす一対の斜面からなるカム面２１ａが形成されている。その凹設部１ａの底面には、カム面２１ａと当接するように一部を底面から突出させた一対の硬球２２が埋設されている。
【００１８】
気化器本体１の上面には回動弁体３の上部を覆うように蓋体２３が固設されている。この蓋体２３により、回動弁体３に一体化された支持軸２４が回動かつ軸線方向変位自在に支持されている。支持軸２４の上部は蓋体２３の外方に突出しており、支持軸２３の突出端部には操作レバー２５が固設されている。
【００１９】
なお、支持軸２４には同軸的に軸線方向孔２４ａが設けられており、その軸線方向孔２４ａに設けられた内ねじに上記した燃料調整用針弁１９の基端部がねじ込まれかつ軸線方向にばね付勢されている。燃料調整用針弁１９は、そのねじ結合及びばね付勢により支持軸２４に同軸的に固定されるが、ねじ込み量を調整することにより燃料調整用針弁１９のノズル１６に対する軸線方向没入量を調整することができる。
【００２０】
また、回動弁体３の上面と蓋体２４との間には、回動弁体３を図１における下方に弾発付勢するための圧縮コイルばね２６が介装されている。これにより、回動弁体３に組み付けられたカム体２１のカム面２１ａが気化器本体１側の硬球２２に常時当接し得る。また、圧縮コイルばね２６の一方のコイル端が蓋体２３に係合していると共に他方のコイル端が回動弁体３に係合しており、これにより回動弁体３が閉弁方向に弾発付勢されている。
【００２１】
操作レバー２５には図示されないワイヤやリンクなどを介してスロットル操作レバーが連結されており、スロットルの操作量に応じて支持軸２４すなわち回動弁体３が回動する。回動弁体３の回動によりカム体２１も一体的に回動するため、硬球２２がカム面２１ａ上を相対的に昇降し、それにより回動弁体３が軸線方向に変位する。そして、回動弁体３の軸線方向変位により燃料調整用針弁１９も一体に変位し、針弁１９の先端がノズル１６の主噴口１６ａに対して横切る位置が変化するため、主噴口１６ａの開口面積が変化し得る。なお、蓋体２３には、操作レバー２５の一部と当接することにより回動弁体３の閉弁位置を調整するための調節ねじ２７が設けられている。
【００２２】
回動弁体３にあっては、例えば気化器本体１の内部側となる下部に、通気孔３ａの壁を形成する部分に肉抜きにより凹設部３ｆが形成されると共に、通気口３ａに対して薄肉となった壁部分に対する成型歪みを防止するために、図３に併せて示されるように複数の半径方向リブ３ｂを設けている。
【００２３】
なお、半径方向リブ３ｂは、ノズル１６を貫通させるべく中心部に設けられた環状ボス部３ｃから凹設部３ｆの外周壁となる周壁３ｄに至るように形成されている。また、周壁３ｄの内周面には等ピッチ角度で少なくとも３箇所に軸線方向突条３ｅが配設されている。また、カム体２１の外周面には、直径方向の対称位置に可動弁体３に向かう突部としての一対の係合片２８が一体に設けられており、回動弁体３の周壁３ｄの対応する部分には係合片２８受容する凹部としての一対の係合凹部２９が設けられている。
【００２４】
カム体２１は、図２の矢印に示されるように両係合片２８を両係合凹部２９に突入させて回動弁体３に組み付けられる。図４に示されるように、カム体２１の外径ｄ１と、回動弁体３の３つの軸線方向突条３ｅの突出端を通る円の直径Ｄ１とが同一にされている。これにより、回動弁体３に対するカム体２１の組み付け時の芯出しが行われるようになっている。なお、カム体２１の中央部には回動弁体３の環状ボス部３ｃを外囲する大きさの軸線方向孔２１ｂが設けられている。
【００２５】
また、半径方向リブ３ｂにおける回動弁体３の軸線方向位置（例えば通気孔３ａの軸心からの長さｈ）が全ての半径方向リブ３ｂで同一にされており、カム体２１が組み付け時に半径方向リブ３ｂに当接することにより、カム体２１の回動弁体３に対する軸線方向位置が規制されるようになっている。この軸線方向位置の規制と上記芯出しとによりカム体２１の回動弁体３に対する位置決めが高精度に行われる。
【００２６】
また、係合片２８に周方向凸部２８ａが設けられ、かつ係合凹部２９の対応する部分に周方向凹部２９ａが設けられており、これらによりカム体２１を回動弁体３に取り付ける係合手段が構成されている。カム体２１の組み付けにあっては、係合片２８ａと係合凹部２９ａとを整合し、カム体２１を回動弁体３に押し込むことにより、係合片２８の周方向凸部２８ａが係合凹部２９の周方向凹部２９ａに係合し、回動弁体３にカム体２１が結合された状態になる。このように１アクションでカム体２１を回動弁体３に組み付けることができる。また、カム体２１を一体化した状態で回動弁体３を取り扱うことができるため、気化器本体１への組み付けを容易に行うことができる。
【００２７】
さらに、回動弁体３及びカム体２１が合成樹脂材からなることにより、係合凸部２８ａ及び係合凹部２９ａの係合が弾発的になり得るため、カム体２１を半径方向リブ３ｂに対して弾発的に当接させることができる。これにより、カム体２１の組み付け時の軸線方向位置精度を容易に確実なものとすることができる。
【００２８】
また、本発明は特に以下の構成を特徴とするものである。支持軸２４の操作レバー２５近傍と蓋体２３との間にはエラストマ材からなる防塵シール３１が取り付けられている。図５に併せて示されるように、防塵シール３１は、円筒形状の軸線方向中間部を拡径された形状をなしている。蓋体２３には、支持軸２４の上方突出部分の所定長さに渡って外囲する環状ボス形状の軸支部２３ａが設けられている。その軸支部２３ａの軸線方向中間部には半径方向外向き突部としての外向フランジ部２３ｂが形成されている。
【００２９】
上記軸支部２３ａから露出している支持軸２４の外周面に防塵シール３１の上側開口部が弾発的に密着し、軸支部２３ａの基端部の外周面に防塵シール３１の下側開口部が弾発的に密着するように、防塵シール３１の両開口端部の内径が設定されている。同様に、防塵シール３１の中間拡径部３１ａの最大内径も外向フランジ部２３ｂの外径よりは小径に設定されており、中間拡径部３１ａの内面を外向フランジ部２３ｂに係合させて取り付けた状態では防塵シール３１に引っ張り荷重が発生するようになっている。
【００３０】
図５に示されるように、支持軸２４を軸支部２３ａに挿通し、支持軸２４における軸支部２３ａの外方（図の上方）に突出した部分及び軸支部２３ａを外囲するように防塵シール３１を嵌装する。これにより、支持軸２４と軸支部２３ａとの隙間を防塵シール３１により覆うことができる。
【００３１】
運転時には、操作レバー２５の操作に応じて回動弁体３が回動し、その回動角度に応じて開弁すると共に燃料調整用針弁１９が上昇して主噴口１６ａが開口するため、吸気道２及び通気孔３ａを通過する吸気の流れに応じてノズル１６内の燃料が吸い出され、エンジンが回転する。このとき、回動弁体３の軸線方向変位に応じて支持軸２４が同様に変位して、例えば高速回転時に回動弁体３が最高位置まで上昇しても、防塵シール３１の上側部分が支持軸２４に密着状態で摺接するため防塵性が保持される。
【００３２】
また、上記したように取り付けた状態で防塵シール３１に引っ張り荷重が発生するようになっていることから、防塵シール３１に常に適度な引っ張り荷重を与えることができる。この適度な引っ張り荷重により、防塵シール３１が例えばゴム製の場合に、その劣化を好適に防止することができる。このようにして、防塵シール３１の防塵機能のみならず、耐久性をも向上することができる。
【産業上の利用可能性】
【００３３】
本発明にかかる回動絞り弁式気化器の絞り弁支持軸防塵シールは、防塵シールの防塵機能及び耐久性が向上し、回動絞り弁式気化器等に有用である。
【図面の簡単な説明】
【００３４】
【図１】本発明が説き要された気化器を示す縦断面図である。
【図２】回動弁体へのカム体の組み付け要領を示す部分斜視図である。
【図３】図２の矢印III線から見た回動弁体の下面図である。
【図４】回動弁体及びカム体の要部縦断面図である。
【図５】本発明に基づく防塵シールの取り付け要領を示す側断面図である。
【符号の説明】
【００３５】
１  気化器本体
３  回動弁体
１６  燃料噴出ノズル
１９  燃料調整用針弁
２３  蓋体、２３ａ  軸支部、２３ｂ  外向フランジ部
２４  支持軸
３１  防塵シール、３１ａ  中間拡径部
【図１】
2005146980.tif 000003
【図２】
2005146980.tif 000004
【図３】
2005146980.tif 000005
【図４】
2005146980.tif 000006
【図５】
2005146980.tif 000007